(57)【要約】      （修正有）【課題】同軸度及び安定性が高いレンズモジュールを提供する。【解決手段】レンズモジュール１００は、レンズチューブ１０１と、第１のレンズ１０２と、第２のレンズ１０３とを備える。第１のレンズ１０２は、レンズチューブ１０１の筒壁に当接される第２の表面と、その上に第１の円弧面が設けられている第１の表面とを有する。第２の表面は筒壁に当接されることによりレンズモジュール１００が第１の配合精度を有する。第２のレンズ１０３は、その上に第２の円弧面が設けられている上表面と、下表面と、接続面とを有する。第１の円弧面と第２の円弧面とが当接されることにより、当該レンズモジュール１００が第２の配合精度を有する。第２の配合精度によってそれぞれのレンズの同軸度が保証され、第１の合わせ精度によりレンズ群とレンズチューブ１０１との同軸度が保証される。【選択図】図１
2015176144.tif 000002
【特許請求の範囲】
【請求項１】
レンズチューブと、前記レンズチューブ内に設置されるとともにつ前記レンズチューブに接続されるレンズ群とを備え、前記レンズチューブは、複数の筒壁と、複数の前記筒壁によって囲まれて形成されている収容空間とを有し、前記レンズ群は、前記筒壁に接続される第１のレンズと、前記第１のレンズに接続される第２のレンズとを備えるレンズモジュールであり、
前記第１のレンズが前記筒壁に接続されることにより、当該レンズモジュールは第１の配合精度を有することになり、前記第１のレンズは、前記第２のレンズに向ける第１の表面と、前記第１の表面から離れている第２の表面とを有し、前記第１の表面には、第１の円弧面が含まれ、
前記第２のレンズは、前記第１のレンズに向ける上表面と、前記上表面から離れている下表面とを有し、前記上表面は、前記第１の円弧面に当接される第２の円弧面を含み、前記第１の円弧面と前記第２の円弧面とが当接されることにより、当該レンズモジュールは第２の配合精度を有することになり、
前記第２の配合精度によって前記第１のレンズと前記第２のレンズの光軸が共通することになり、前記第１の配合精度によって前記光通過孔の中心が前記光軸に位置することになり、
前記第１の円弧面及び第２の円弧面は、前記第２の表面または下表面から最も遠い接続ラインを持ち、前記第１の円弧面及び第２の円弧面のいずれも前記接続ラインから前記筒壁の方向に延伸する第１の部分と、前記接続ラインから前記光軸の方向に延伸する第２の部分とを含むことを特徴とするレンズモジュール。
【請求項２】
当該レンズモジュールは、前記第２のレンズに接続される第３のレンズと、前記第３のレンズに接続される第４のレンズとをさらに含むことを特徴とする請求項１記載のレンズモジュール。
【請求項３】
前記下表面は、第３の円弧面を有し、前記第３のレンズにおける前記第２のレンズに向ける表面は、前記第３の円弧面に当接される第４の円弧面を含み、前記第３のレンズにおける前記第２のレンズから離れる表面は、第５の円弧面を含み、前記第４のレンズにおける前記第３のレンズに向ける表面は、前記第５の円弧面に当接される第６の円弧面を含むことを特徴とする請求項２記載のレンズモジュール。
【請求項４】
前記筒壁は、光通過孔が開設された第１の筒壁と、前記第１の筒壁から曲がって延伸する第２の筒壁とを含み、前記第１の筒壁における前記収容空間に向ける表面には、第１の当接部が設けられており、前記第２の表面は、前記第１の当接部に当接される第２の当接部を有することを特徴とする請求項１記載のレンズモジュール。
【請求項５】
前記第１の当接部は、前記光通過孔の中心を中心として環状に分布する第７の円弧面であり、前記第２の当接部は、前記光軸を中心として環状に分布する第８の円弧面であることを特徴とする請求項４記載のレンズモジュール。
【請求項６】
前記第７の円弧面及び第８の円弧面のいずれも第１の筒壁から最も近いまたは最も遠い接続ラインを持ち、前記第７の円弧面及び第８の円弧面のいずれも前記第２の筒壁の方向に延伸する第１の部分と、前記接続ラインから前記光軸の方向に延伸する第２の部分とを含むことを特徴とする請求項５記載のレンズモジュール。
【請求項７】
前記第１の当接部は、前記光通過孔の中心を中心として環状に分布する第１の斜面であり、前記第２の当接部は、前記光軸を中心として環状に分布する第２の斜面であることを特徴とする請求項４記載のレンズモジュール。
【請求項８】
前記第１の斜面と前記第２の斜面とは同じ傾斜角度を持っていることを特徴とする請求項７記載のレンズモジュール。
【発明の詳細な説明】
【技術分野】
【０００１】
本発明は、レンズモジュールに関する。
【背景技術】
【０００２】
科学技術の発展に伴い、電子設備のインテリジェント化が徐々に発展されており、デジタルカメラ以外には、携帯式の電子設備、例えばタブレットパソコン、携帯電話などもレンズモジュールが配備されている。人々の使用要望にかなうように、レンズモジュールによって撮影したものの画像品質にも高い要求がさらに求められている。撮影したものの画像品質は主にレンズモジュール内における各レンズの光軸の同軸度に関係する。
【０００３】
関連技術では、レンズモジュールは、光透過孔が開設されたレンズチューブとレンズチューブ内に設置されるレンズ群を備え、レンズ群には少なくとも二枚の光学レンズが含まれ、光透過孔の幾何学中心を通過した直線及びこれらの光学レンズの光軸は重合されるべき、即ち、高い同軸度を有するべきである。また、各光学レンズの間の相互接続も高い安定性を有するべきである。しかし、生産製造の過程において、光学レンズの間の偏心は比較的に敏感であるため、高い同軸度及び安定性の保証が困難である。
【０００４】
そのため、新規レンズモジュールを提供することが必要となる。
【発明の概要】
【発明が解決しようとする課題】
【０００５】
本発明は、同軸度及び安定性が高いレンズモジュールを提供することを目的とする。
【課題を解決するための手段】
【０００６】
本発明の技術の方案は以下である。本発明は、レンズチューブと、前記レンズチューブ内に設置されるとともに前記レンズチューブに接続されるレンズ群とを備え、前記レンズチューブは、複数の筒壁と、複数の前記筒壁によって囲まれて形成されている収容空間とを有し、前記レンズ群は、前記筒壁に接続される第１のレンズと、前記第１のレンズに接続される第２のレンズとを備えるレンズモジュールであり、
前記第１のレンズが前記筒壁に接続されることにより、当該レンズモジュールは第１の配合精度を有することになり、前記第１のレンズは、前記第２のレンズに向ける第１の表面と、前記第１の表面から離れている第２の表面とを有し、前記第１の表面には、第１の円弧面が含まれ、
前記第２のレンズは、前記第１のレンズに向ける上表面と、前記上表面から離れている下表面とを有し、前記上表面は、前記第１の円弧面に当接される第２の円弧面を含み、前記第１の円弧面が前記第２の円弧面に当接されることにより、当該レンズモジュールは第２の配合精度を有することになり、
前記第２の配合精度によって、前記第１のレンズと前記第２のレンズの光軸が共通することになり、前記第１の配合精度によって前記光通過孔の中心が前記光軸に位置することになり、
前記第１の円弧面及び第２の円弧面は、前記第２の表面または下表面から最も遠い接続ラインを持ち、前記第１の円弧面及び第２の円弧面のいずれも前記接続ラインから前記筒壁の方向に延伸する第１の部分と、前記接続ラインから前記光軸の方向に延伸する第２の部分とを含むことを特徴とする。
【０００７】
当該レンズモジュールは、前記第２のレンズに接続される第３のレンズと、前記第３のレンズに接続される第４のレンズとをさらに含むことが好ましい。
【０００８】
前記下表面は、第３の円弧面を有し、前記第３のレンズにおける前記第２のレンズに向ける表面は、前記第３の円弧面に当接される第４の円弧面を含み、前記第３のレンズにおける前記第２のレンズから離れる表面は、第５の円弧面を含み、前記第４のレンズにおける前記第３のレンズに向ける表面は、前記第５の円弧面に当接される第６の円弧面を含むことが好ましい。
【０００９】
前記筒壁は、光通過孔が開設された第１の筒壁と、前記第１の筒壁から曲がって延伸する第２の筒壁とを含み、前記第１の筒壁における前記収容空間に向ける表面には、第１の当接部が設けられており、前記第２の表面は、前記第１の当接部に当接される第２の当接部を有することが好ましい。
【００１０】
前記第１の当接部は、前記光通過孔の中心を中心として環状に分布する第７の円弧面であり、前記第２の当接部は、前記光軸を中心として環状に分布する第８の円弧面であることが好ましい。
【００１１】
前記第７の円弧面及び第８の円弧面のいずれも第１の筒壁から最も近いまたは最も遠い接続ラインを持ち、前記第７の円弧面及び第８の円弧面のいずれも前記第２の筒壁の方向に延伸する第１の部分と、前記接続ラインから前記光軸の方向に延伸する第２の部分とを含むことが好ましい。
【００１２】
前記第１の当接部は、前記光通過孔の中心を中心として環状に分布する第１の斜面であり、前記第２の当接部は、前記光軸を中心として環状に分布する第２の斜面であることが好ましい。
【００１３】
前記第１の斜面と前記第２の斜面とは同じ傾斜角度を持っていることが好ましい。
【発明の効果】
【００１４】
本発明によれば、有益効果は以下である。レンズモジュールが有する第２の合わせ精度によってレンズ群内の各レンズの同軸度が保証でき、第１の合わせ精度によってレンズ群とレンズチューブは比較的高い同軸度を有することが保証できる。
【図面の簡単な説明】
【００１５】
【図１】本発明によるレンズモジュールの第１の実施例の構成を示す概略図である。
【図２】本発明によるレンズモジュールの第１の実施例におけるレンズチューブの構成を示す概略図である。
【図３】本発明によるレンズモジュールの第１の実施例における第１のレンズの構成を示す概略図である。
【図４】本発明によるレンズモジュールの第１の実施例における第２のレンズの構成を示す概略図である。
【図５】本発明によるレンズモジュールの第１の実施例における第３のレンズの構成を示す概略図である。
【図６】本発明によるレンズモジュールの第１の実施例における第４のレンズの構成を示す概略図である。
【図７】本発明によるレンズモジュールの第２の実施例の構成を示す概略図である。
【図８】本発明によるレンズモジュールの第２の実施例におけるレンズチューブの構成を示す概略図である。
【図９】本発明によるレンズモジュールの第２の実施例における第１のレンズの構成を示す概略図である。
【図１０】本発明によるレンズモジュールの第２の実施例における第２のレンズの構成を示す概略図である。
【図１１】本発明によるレンズモジュールの第２の実施例における第３のレンズの構成を示す概略図である。
【図１２】本発明によるレンズモジュールの第２の実施例における第４のレンズの構成を示す概略図である。
【発明を実施するための形態】
【００１６】
以下、本発明について図面及び実施形態を参照しながらさらに説明する。
【００１７】
（第１の実施例）
図１に示されるように、レンズモジュール１００は、レンズチューブ１０１と、レンズチューブ１０１内に設けられるとともにレンズチューブ１０１に接続されるレンズ群とを備える。レンズチューブ１０１は、複数の筒壁と複数の筒壁によって囲まれて形成されている収容空間１０１Ｄとを有する。図２に示されるように、本実施例において、筒壁は、光通過孔１０１Ｃが開設された第１の筒壁１０１Ａと、第１の筒壁１０１Ａから曲がって延伸する第２の筒壁１０１Ｂとを含む。レンズ群は、第１の筒壁１０１Ａにおける収容空間１０１Ｄに向ける表面に接続される第１のレンズ１０２と、第１のレンズ１０２に接続される第２のレンズ１０３と、第２のレンズ１０３に接続される第３のレンズ１０４と、第３のレンズ１０４に接続される第４のレンズ１０５とを備え、第１のレンズ１０２と第２のレンズ１０３と第３のレンズ１０４と第４のレンズ１０５は、レンズチューブ１０１の軸方向に沿って分布する。
【００１８】
図３に示されるように、第１のレンズ１０２は、第２のレンズ１０３に向ける第１の表面１０２Ｂと、第１の表面１０２Ｂに対向する第２の表面１０２Ａと、第１の表面１０２Ｂと第２の表面１０２Ａとを接続する側面１０２Ｃとを有する。側面１０２Ｃは、第２の筒壁１０１Ｂにおける収容空間１０１Ｄに向ける表面に当接されてもよく、当接されなくても良い。第１の表面１０２Ｂは、第１のレンズ１０２の光軸１０６を中心として環状に分布する第１の円弧面１０９を有する。図２に示されるように、本実施例において、第１の筒壁１０１Ａにおける収容空間１０１Ｄに向ける表面には、第１の当接部、即ち光通過孔１０１Ｃの中心を中心として環状に分布する第７の円弧面１０７が設けられている。その一方、第２の表面１０２Ａは、第１の当接部に当接される第２の当接部、即ち第１のレンズ１０２の光軸１０６を中心として環状に分布する第８の円弧面１０８を有する。第１の当接部と第２の当接部とが当接されることにより、当該レンズモジュールは第１の合わせ精度を有することになる。
【００１９】
第７の円弧面１０７及び第８の円弧面１０８のいずれも第１の筒壁１０１Ａから最も近い接続ラインを持ち、図２と図３の截面図から見ると、第７の円弧面１０７及び第８の円弧面１０８における図中の右側の円弧線分を挙げて説明すると、その接続ラインは、第７の円弧面１０７及び第８の円弧面１０８の最高点と直線Ａとの交点である。第７の円弧面１０７は、接続ラインから第２の筒壁１０１Ｂの方向に延伸する第１の部分１０７Ａと、接続ラインから光軸１０６の方向に延伸する第２の部分１０７Ｂとを含む。また、第８の円弧面１０８も第２の筒壁１０１Ｂの方向に延伸する第１の部分１０８Ａと、接続ラインから光軸１０６の方向に延伸する第２の部分１０８Ｂとを含む。即ち、図２及び図３に示されるように、第７の円弧面１０７は凹な円弧面であり、第８の円弧面１０８は対応的に凸な円弧面である。また、接続ラインと第１の筒壁１０１Ａと間に最も遠い距離が置かれた場合、第７の円弧面は凸な円弧面であり、第８の円弧面は凹な円弧面であることが分かる。
【００２０】
また、レンズのデザイン過程において、第８の円弧面１０８は、図３に示される截面図において、それぞれ二つの円弧が示され、右の円弧の円心を通過する直線Ａを参照として、第１の表面１０２Ａにおける直線Ａより右側の部分は光軸の方向に沿って移動することができ、つまり、この部分の移動に伴い、第１のレンズ１０２の厚さが増大または減少することができる。同様に、左の円弧の円心を通過する直線を参照として、第１の表面１０２Ｂにおける直線より左側の部分は光軸の方向に移動することができ、言い換えれば、第１のレンズは、本実施例における円弧面にて第１の筒壁に当接する時に、第１のレンズの縁部分の厚さを、デザイン過程中に適宜調整することができる。
【００２１】
第２のレンズ１０３、第３のレンズ１０４及び第４のレンズ１０５のいずれもそれぞれ上表面と、上表面に対向する下表面と、上表面と下表面とを接続する接続面とを有する。
【００２２】
具体的に、図４に示されるように、第２のレンズ１０３は、第１のレンズ１０２に向ける上表面１０３Ａと、上表面１０３Ａに対向する下表面１０３Ｂと、上表面１０３Ａと下表面１０３Ｂとを接続する接続面１０３Ｃとを有する。なお、上表面１０３Ａは、第１の円弧面１０９に当接される第２の円弧面１１０を有し、下表面１０３Ｂは、第３の円弧面１１１を有する。第２の円弧面１１０と第１の円弧面１０９とが当接されることにより、レンズモジュールは第２の合わせ精度を有することになる。同様に、第１の円弧面１０９及び第２の円弧面１１０のいずれも第１の筒壁１０１Ａから最も近い接続ラインを持ち、図３及び図４の截面図から見ると、第１の円弧面１０９及び第２の円弧面１１０における図中の右側の円弧線分を挙げて説明すると、その接続ラインは、第１の円弧面１０９及び第２の円弧面１１０の最高点と直線Ｂとの交点である。第１の円弧面１０９は、接続ラインから第２の筒壁１０１Ｂの方向に延伸する第１の部分１０９Ａと、接続ラインから光軸１０６の方向に延伸する第２の部分１０９Ｂとを含む。第２の円弧面１１０も接続ラインから第２の筒壁１０１Ｂの方向に延伸する第１の部分１１０Ａと、接続ラインから光軸１０６の方向に延伸する第２の部分１１０Ｂとを含む。
【００２３】
図５に示されるように、第３のレンズ１０４は、上表面１０４Ａと、下表面１０４Ｂと、接続面１０４Ｃとを有し、なお、上表面１０４Ａは、第３の円弧面１１１に当接される第４の円弧面１１２を含み、下表面１０４Ｂは、第５の円弧面１１３を含む。第３の円弧面１１１及び第４の円弧面１１２のいずれも第１の筒壁１０１Ａから最も近い接続ラインを持ち、図４及び図５の截面図から見ると、第３の円弧面１１１及び第４の円弧面１１２における図中の右側の円弧線分を挙げて説明すると、その接続ラインは、第３の円弧面１１１及び第４の円弧面１１２の最高点と直線Ｃとの交点を通過するものである。第ｌ３の円弧面１１１は、接続ラインから第２の筒壁１０１Ｂの方向に延伸する第１の部分１１１Ａと、接続ラインから光軸１０６の方向に延伸する第２の部分１１１Ｂとを含む。第４の円弧面１１２も、第２の筒壁１０１Ｂの方向に延伸する第１の部分１１２Ａと、接続ラインから光軸１０６の方向に延伸する第２の部分１１２Ｂとを含む。
【００２４】
図６に示されるように、第４のレンズ１０５も同様に上表面１０５Ａと、下表面１０５Ｂと、接続面１０５Ｃとを有し、なお、上表面１０５Ａは、第５の円弧面１１３に当接される第６の円弧面１１４を含む。同様に、第５の円弧面１１３及び第６の円弧面１１４のいずれも第１の筒壁１０１Ａから最も近い接続ラインを持ち、図５及び図６の截面図から見ると、第５の円弧面１１３及び第６の円弧面１１４における図中の右側の円弧線分を挙げて説明すると、その接続ラインは、第５の円弧面１１３及び第６の円弧面１１４の最高点と直線Ｄとの交点を通過するものである。第５の円弧面１１３は、接続ラインから第２の筒壁１０１Ｂの方向に延伸する第１の部分１１３Ａと、接続ラインから光軸１０６の方向に延伸する第２の部分１１３Ｂとを含む。第６の円弧面１１４も第２の筒壁１０１Ｂの方向に延伸する第１の部分１１４Ａと、接続ラインから光軸１０６の方向に延伸する第２の部分１１４Ｂとを含む。
【００２５】
第４のレンズ１０５の接続面１０５Ｃは、第２の筒壁１０１Ｂにおける収容空間に向ける１０１Ｃの表面に当接されている。これらの四枚のレンズの中に、少なくとも一枚のレンズの接続面が第２の筒壁における収容空間に向けるの表面に当接されることによって、レンズチューブ内におけるレンズ群の安定性は増強されている。接続面が第２の筒壁に当接されていない第２のレンズ１０３と第３のレンズ１０４との間の合わせ精度は、第３の円弧面及び第４の円弧面の加工精度により決定され、つまり、レンズチューブの同軸度ムラは第２のレンズ１０３及び第２のレンズ１０４の同軸度に対して影響を与えない。
【００２６】
第２の合わせ精度によって第１のレンズの光軸が第２のレンズの光軸に重合することになり、レンズ群中の各レンズの同軸度が保証できる一方、第１の合わせ精度によってレンズチューブの光通過孔の中心が光軸に位置することになり、レンズ群とレンズチューブの同軸度が保証できる。
【００２７】
（第２の実施例）
図７に示されるように、レンズモジュール２００は、レンズチューブ２０１と、レンズチューブ２０１内に設置されるとともにレンズチューブ２０１に接続されるレンズ群とを備える。レンズチューブ２０１は、複数の筒壁及び複数の筒壁によって囲まれて形成されている収容空間２０１Ｄを有する。図６に示されるように、本実施例において、筒壁は、光通過孔２０１Ｃが開設された第１の筒壁２０１Ａと、第１の筒壁２０１Ａから曲がって延伸する第２の筒壁２０１Ｂとを含む。レンズ群は、第１の筒壁２０１Ａにおける収容空間に向ける２０１Ｄの表面に接続される第１のレンズ２０２と、第１のレンズ２０２に接続される第２のレンズ２０３と、第２のレンズ２０３に接続される第３のレンズ２０４と、第３のレンズ２０４に接続される第４のレンズ２０５とを含む。第１のレンズ２０２、第２のレンズ２０３、第３のレンズ２０４及び第４のレンズ２０５は、レンズチューブ２０１の軸方向に沿って分布する。
【００２８】
図９に示されるように、第１のレンズ２０２は、第２のレンズ２０３に向ける第１の表面２０２Ｂと、第１の表面２０２Ｂに対向する第２の表面２０２Ａと、第１の表面２０２Ｂと第２の表面２０２Ａとを接続する側面２０２Ｃとを有する。側面２０２Ｃは、第２の筒壁１０１Ｂにおける収容空間１０１Ｄに向ける表面に当接されてもよく、当接されなくても良い。第１の表面２０２Ｂは、第１のレンズ２０２の光軸２０６を中心として環状に分布する第１の円弧面２０９を有する。図８に示されるように、本実施例において、第１の筒壁２０１Ａにおける収容空間に向ける２０１Ｄの表面には、第１の当接部、即ち光通過孔２０１Ｃの中心を中心として環状に分布する第１の斜面２０７が設けられている。図９に示されるように、第２の表面２０２Ａは、第１の当接部に当接される第２の当接部、即ち第１のレンズ２０２の光軸２０６中心として環状に分布する第２の斜面２０８を有する。第１の斜面２０７及び第２の斜面２０８は同じ傾斜角度を持っている。第１の当接部と第２の当接部とが当接されることにより当該レンズモジュールは第１の合わせ精度を有することになる。
【００２９】
第２のレンズ２０３、第３のレンズ２０４及び第４のレンズ２０５のいずれもそれぞれ上表面と、上表面に対向する下表面と、上表面と下表面とを接続する接続面とを有する。
【００３０】
具体的に、図１０に示されるように、第２のレンズ２０３は、第１のレンズ２０２に向ける上表面２０３Ａと、上表面２０３Ａに対向する下表面２０３Ｂと、上表面２０３Ａと下表面２０３Ｂとを接続する接続面２０３Ｃとを有する。なお、上表面２０３Ａは、第１の円弧面２０９に当接される第２の円弧面２１０を有し、下表面２０３Ｂは、第３の円弧面２１１を有する。第２の円弧面２１０が第１の円弧面２０９に当接されることにより、レンズモジュール２００は第２の合わせ精度を有することになる。同様に、第１の円弧面２０９及び第２の円弧面２１０のいずれも第１の筒壁２０１Ａから最も近い接続ラインを持ち、図９及び図１０の截面図から見ると、第１の円弧面２０９及び第２の円弧面２１０における図中の右側の円弧線分を挙げて説明すると、その接続ラインは、第１の円弧面２０９及び第２の円弧面２１０の最高点と直線Ｅとの交点である。第１の円弧面２０９は、接続ラインから第２の筒壁２０１Ｂの方向に延伸する第１の部分２０９Ａと、接続ラインから光軸２０６の方向に延伸する第２の部分２０９Ｂとを含む。第２の円弧面２１０も接続ラインから第２の筒壁２０１Ｂの方向に延伸する第１の部分２１０Ａと、接続ラインから光軸２０６の方向に延伸する第２の部分２１０Ｂとを含む。
【００３１】
図１１に示されるように、第３のレンズ２０４は、上表面２０４Ａと、下表面２０４Ｂと、接続面２０４Ｃとを有し、なお、上表面２０４Ａは、第３の円弧面２１１に当接される第４の円弧面２１２を含み、下表面２０４Ｂは、第５の円弧面２１３を含む。第３の円弧面２１１及び第４の円弧面２１２のいずれも第１の筒壁２０１Ａから最も近い接続ラインを持ち、図１０及び図１１の截面図から見ると、第３の円弧面２１１及び第４の円弧面２１２における図中の右側の円弧線分を挙げて説明すると、その接続ラインは、第３の円弧面２１１及び第４の円弧面２１２の最高点と直線Ｆとの交点を通過するものである。第３の円弧面２１１は、第２の筒壁２０１Ｂの方向に延伸する第１の部分２１１Ａと、接続ラインから光軸２０６の方向に延伸する第２の部分２１１Ｂとを含む。第４の円弧面２１２も、第２の筒壁２０１Ｂの方向に延伸する第１の部分２１２Ａと、接続ラインから光軸２０６の方向に延伸する第２の部分２１２Ｂとを含む。
【００３２】
図１２に示されるように、第４のレンズ２０５も同様に上表面２０５Ａと、下表面２０５Ｂと、接続面２０５Ｃとを有し、なお、上表面２０５Ａは、第５の円弧面２１３に当接される第６の円弧面２１４を含む。同様に、第５の円弧面２１３及び第６の円弧面２１４のいずれも第１の筒壁２０１Ａから最も近い接続ラインを持ち、図１１及び図１２の截面図から見ると、第５の円弧面２１３及び第６の円弧面２１４における図中の右側の円弧線分を挙げて説明すると、その接続ラインは、第５の円弧面２１３及び第６の円弧面２１４の最高点と直線Ｇとの交点を通過するものである。第５の円弧面２１３は、第２の筒壁２０１Ｂの方向に延伸する第１の部分２１３Ａと、接続ラインから光軸２０６の方向に延伸する第２の部分２１３Ｂとを含む。第６の円弧面２１４も第２の筒壁２０１Ｂの方向に延伸する第１の部分２１４Ａと、接続ラインから光軸２０６の方向に延伸する第２の部分２１４Ｂとを含む。
【００３３】
第４のレンズ２０５の接続面２０５Ｃは、第２の筒壁２０１Ｂにおける収容空間に向ける２０１Ｄの表面に当接されている。この四枚のレンズの中に、少なくとも一枚のレンズの接続面が第２の筒壁における収容空間に向けるの表面に当接されることによって、レンズチューブ内におけるレンズ群の安定性は増強する。接続面が第２の筒壁に当接されていない第２のレンズ２０３と第３のレンズ２０４との間の合わせ精度は、第３の円弧面及び第４の円弧面の加工精度により決定され、つまり、レンズチューブの同軸度ムラは第２のレンズ２０３及び第２のレンズ２０４の同軸度に対して影響を与えない。
【００３４】
第２の合わせ精度によって第１のレンズの光軸が第２のレンズの光軸に重合することになり、レンズ群中の各レンズの同軸度が保証できる一方、第１の合わせ精度によってレンズチューブの光通過孔の中心が光軸に位置することになり、レンズ群とレンズチューブの同軸度が保証できる。
【００３５】
以上に記述されたのは、本発明の実施形態に過ぎなく、当業者にとっては、本発明の設計主旨を超えない限り、さらに変更することができ、これらの変更も本発明の保護範囲に含まれると理解されるべきであろう。
【図１】
2015176144.tif 000003
【図２】
2015176144.tif 000004
【図３】
2015176144.tif 000005
【図４】
2015176144.tif 000006
【図５】
2015176144.tif 000007
【図６】
2015176144.tif 000008
【図７】
2015176144.tif 000009
【図８】
2015176144.tif 000010
【図９】
2015176144.tif 000011
【図１０】
2015176144.tif 000012
【図１１】
2015176144.tif 000013
【図１２】
2015176144.tif 000014